(57)【要約】【課題】テンプルと丁番部とをワンタッチで簡単に脱着自在に連結させることができる、メガネのテンプル脱着構造を提供することである。【解決手段】メガネ１０の智１４または丁番の部品２６とテンプルＴとを継手部材２０を介して脱着自在に連結するテンプル脱着構造であって、継手部材２０は、智１４または丁番の部品２６と接続される挿入部３０を含み、テンプルＴは、挿入部３０が初期的に挿入可能な挿入口３８を備え、挿入部３０の進入を案内する案内路４０と、案内路４０に連通され、挿入部３０が回動自在に収容される収容部４２とを含み、挿入部３０は、案内路４０を通って収容部４２に収容されるように挿入され、挿入部３０とテンプルＴとをテンプルＴの軸方向に相対的に所定の角度で回動させたときに、挿入部３０が収容部４２内に係止状態となりテンプルＴから抜き出し不能となる。【選択図】図１
0003139022.tif 000002
【実用新案登録請求の範囲】
【請求項１】
メガネの智または丁番の部品とテンプルとを継手部材を介して脱着自在に連結するメガネのテンプル脱着構造であって、
前記継手部材は、
その一方側が前記部品および前記テンプルの一方に接続される挿入部を含み、
前記部品および前記テンプルの他方は、
前記挿入部が挿入可能な挿入口を備え、前記挿入部の進入を案内する案内路、および
前記案内路に連通され、前記挿入部が回動自在に収容可能となる収容部を含み、
前記挿入部は、前記挿入部が前記案内路を通って前記収容部に収容されるように挿入され、前記部品と前記テンプルとを前記テンプルの軸方向に相対的に所定の角度で回動させたときに、前記挿入部が前記収容部内に係止状態となり、前記部品と前記テンプルとが離脱不能に連結されることを特徴とする、メガネのテンプル脱着構造。
【請求項２】
前記収容部は、前記部品と前記テンプルとを前記テンプルの軸方向に相対的に所定の角度で回動させたときに、前記挿入部および前記収容部の相対的な回動位置を規制する隔壁部を含み、前記挿入部は、前記隔壁部に当接した位置で、前記挿入部が前記収容部内に係止状態となり前記収容部から抜き出し不能となることを特徴とする、請求項１に記載のメガネのテンプル脱着構造。
【請求項３】
前記収容部には、前記挿入部が前記収容部内に係止状態となると略同時に、前記挿入部の進入端側を進入方向とは反対方向に押圧する弾性部材が配設され、
前記弾性部材の押圧力により、前記挿入部が前記収容部の内壁に押し付けられて、前記挿入部と前記収容部との係止状態が保持されることを特徴とする、請求項１または請求項２に記載のメガネのテンプル脱着構造。
【請求項４】
前記挿入部は、前記部品に接続され、
前記挿入口を備えた案内路および前記収容部は、前記テンプルに配設されることを特徴とする、請求項１〜請求項３のいずれかに記載のメガネのテンプル脱着構造。
【請求項５】
前記挿入部は、前記テンプルに接続され、
前記挿入口を備えた案内路および前記収容部は、前記部品に配設されることを特徴とする、請求項１〜請求項３のいずれかに記載のメガネのテンプル脱着構造。
【請求項６】
メガネの智または丁番の部品とテンプルとを継手部材を介して脱着自在に連結するメガネのテンプル脱着構造であって、
前記継手部材は、
その一方側が前記智または前記丁番の部品と接続される挿入部を含み、
前記挿入部は、
プレート状の挿入部本体、および
前記挿入部本体の一端および／または他端に配設され、前記挿入部本体を回動自在とする回動軸を含み、
前記テンプルは、
前記挿入部が挿入可能な挿入口を備え、前記挿入部の進入を案内する案内路、
突当り部を有すると共に、前記案内路に連通され、前記挿入部が回動自在に収容可能となる収容部、および
前記収容部に連通され、前記テンプルの軸方向に見て、前記案内路と交差する方向に延びて配設される係止溝部を含み、
前記挿入部と前記テンプルとを前記テンプルの軸方向に相対的に所定の角度で回動させたときに、前記挿入部本体が前記係止溝部内に係止状態となり、前記挿入部が前記テンプルから抜き出し不能となることを特徴とする、メガネのテンプル脱着構造。
【請求項７】
前記収容部は、前記挿入部と前記テンプルとを前記テンプルの軸方向に相対的に所定の角度で回動させたときに、前記挿入部および前記テンプルの相対的な回動位置を規制する隔壁部を含み、前記挿入部本体が前記隔壁部に当接した位置で、前記挿入部本体が前記係止溝部内に係止状態となり、前記挿入部は前記テンプルから抜き出し不能となることを特徴とする、請求項６に記載のメガネのテンプル脱着構造。
【請求項８】
前記テンプルは、前記収容部の前記突当り部に配設された弾性変形可能なばね性を有する弾性部材を含み、
前記挿入部本体の一端側に配設された前記回動軸は、前記案内路に挿通可能に形成され、前記メガネの智または丁番の部品と接続される接続軸部を含み、
前記挿入部本体の他端側に配設された前記回動軸は、前記収容部の前記突当り部に挿通可能に形成され、前記弾性部材を押圧する押圧軸部を含み、
前記挿入部と前記テンプルとを前記テンプルの軸方向に相対的に所定の角度で回動させたときに、前記挿入部本体が前記係止溝部内に係止状態となると略同時に、前記弾性部材により前記押圧軸部の進入端側が進入方向とは反対方向に押圧され、前記挿入部本体が前記係止溝部の内壁に押し付けられることを特徴とする、請求項６または請求項７に記載のメガネのテンプル脱着構造。
【請求項９】
前記継手部材は、
その一方側が前記智または前記丁番の部品と接続され、その他方側が前記挿入部を支持すると共に、前記智と前記テンプルとの合口となる支持部材をさらに含むことを特徴とする、請求項６〜請求項８のいずれかに記載のメガネのテンプル脱着構造。
【考案の詳細な説明】
【技術分野】
【０００１】
本願考案は、メガネのテンプル脱着構造に関し、特に、たとえば智あるいは丁番の部品とテンプルとが脱着自在に連結されるようにした、メガネのテンプル脱着構造に関する。
【背景技術】
【０００２】
図３０は、本願考案の背景となる従来のテンプル脱着構造が採用されたメガネの一例を示す全体斜視図であり、図３１は、図３０のメガネに採用された従来のテンプル脱着構造を示す要部分解平面図である。図３２は、図３０，図３１に示す智および継手部材の要部拡大斜視図である。
この従来のメガネ１は、フロント（慣用語：前枠）の両側に配置される智１Ａを含む。智１Ａは、レンズＳＬを保持するリムＲにたとえばろう付けされたよろい智により形成されている。この智１Ａには、継手部材Ｊを介して、テンプルＴが開閉自在に取り付けられ、且つ、テンプルＴは、継手部材Ｊに脱着自在に取り付けられている。
【０００３】
すなわち、智Ａは、上下に間隔を隔てて配設される２つの枠丁番こま１ａを有する。また、継手部材Ｊは、合口フランジ部２Ａを含む。合口フランジ部２Ａの一方主面には、うで丁番こま２ａが配設される。この場合、２つの枠丁番こま１ａ間に、うで丁番こま２ａが挿嵌され、２つの枠丁番こま１ａのこま孔（図示せず），うで丁番こま２ａのこま孔（図示せず）に丁番ねじ３が装着されることによって、智１Ａと継手部材Ｊは回動自在に連結されるものとなる。さらに、合口フランジ部２Ａの他方主面には、後述するテンプルＴの嵌合キャビティ４に脱着自在に挿入される挿入部５が配設される。
【０００４】
挿入部５は、長さ方向を有する挿入基部５ａと、所定の折り曲げ角度で略Ｖ字形に屈曲成形された弾性変形可能な、所謂、ばね性を有する弾性部材６とを含む。弾性部材６の一方の片は、その一端部が挿入基部５ａの長さ方向の一端部に固定され、固定片６ａとして形成されている。また、弾性部材６の他方の片は、自由片６ｂとして形成され、自由片６ｂの端部には、当該端部から内側に略直角に屈曲された折り曲げ片６ｃが設けられる。折り曲げ片６ｃは、挿入基部５ａの長さ方向の中間部で且つその幅方向に貫通する貫通孔５ｂに挿通された状態で配置されている。この場合、弾性部材６は、ばね性を有するため、その自由片６ｂは、当該自由片６ｂを固定片６ａ側に押圧する方向（自由片６ｂを固定片６ａ側に閉じる方向）に弾性変形可能となっている。
【０００５】
一方、テンプルＴには、上記した継手部材Ｊの挿入部５が脱着自在に挿入される嵌合キャビティ４が設けられている。嵌合キャビティ４は、テンプルＴの軸方向の端部に開口され、継手部材Ｊの挿入部５が挿入可能となるたとえば断面矩形状の挿入口４ａを有する。また、テンプルＴの内側面には凹部７が設けられ、凹部７はその長さ方向に開口され、嵌合キャビティ４と連通される開口部７ａを有する。この場合、嵌合キャビティ４の全長は、継手部材Ｊの挿入部５の全長よりも僅かに長く形成され、凹部７部分の嵌合キャビティ４の幅ｗ１は、弾性部材６の最大幅ｗ２よりも小さくなるように形成されている。また、嵌合キャビティ４の挿入口４ａの幅ｗ３は、弾性部材６の最大幅ｗ２よりも僅かに小さく形成されている。
さらに、上記凹部７の開口部７ａは、挿入部５が嵌合キャビティ４内に挿入され、嵌合キャビティ４に嵌合されたときに、弾性部材６の折り曲げ片６ｃが当該開口部７ａの開口端縁から外方に突出・露出されるように、配設されている。
【０００６】
この従来のメガネ１のテンプル脱着構造では、たとえば図３１に示す状態から、継手部材Ｊの挿入部５とテンプルＴの嵌合キャビティ４とを嵌合させれば、図３３（Ａ）に示すように、嵌合キャビティ４の挿入口４ａと継手部材Ｊの合口フランジ部２Ａが当接された状態で継手部材ＪとテンプルＴとを連結させることが可能となる。
すなわち、継手部材Ｊの挿入部５が嵌合キャビティ４の挿入口４ａに挿入されると、弾性部材６の自由片６ｂは、嵌合キャビティ４の内壁面４ｂ［たとえば図３１および図３３（Ｂ）参照。］によって、固定片６ａ側に押圧され、自由片６ｂは固定片６ａ側に閉じる方向に弾性変形される。この場合、折り曲げ片６ｃは、挿入基部５ａの貫通孔５ｂにさらに進入する状態となる。その状態で、挿入部５が嵌合キャビティ４内をさらに奥に進んで行くと、テンプルＴの凹部７の開口部７ａを通過した際に、自由片６ｂへの押圧力が解除され、当該自由片６ｂは元の状態（固定片６ａと離間する開き方向）に弾性復帰される。そして、折り曲げ片６ｃも、自由片６ｂと連動して、固定片６ａ側に閉じた状態から開く方向に弾性復帰される。そのため、自由片６ｂおよび折り曲げ片６ｃの一部は、図３３（Ａ）に示すように、凹部７の開口部７ａから外方に突出・露出される。このとき、弾性部材６の折り曲げ片６ｃの外側端部６ｄ［図３３（Ａ），（Ｂ）参照。］は、当該開口部７ａの開口端縁７ｂ（嵌合キャビティ４の内壁端）に係止されることとなり、テンプルＴは、継手部材Ｊを介して、智１Ａに取り付けられる。
【０００７】
それとは反対に、テンプルＴを智１Ａから取り外す場合には、たとえば図３３（Ａ）に示すように、凹部７の開口部７ａから外方に突出・露出されている自由片６ｂを指先で押圧して、自由片６ｂを固定片６ａ側に閉じる方向に弾性変形させた状態で、図３３（Ｂ）に示すように、テンプルＴを引き抜けばよい。すなわち、弾性部材６の自由片６ｂを固定片６ａ側に押圧して弾性変形させることによって、折り曲げ片６ｃと開口部７ａの開口縁７ｂ（嵌合キャビティ４の内壁端）との係止状態が解除され、テンプルＴを智１Ａから取り外すことが可能となる。
【０００８】
また、本願考案の背景技術には、たとえばフロントフレームの両サイドに設けたヨロイに継手部材を屈曲可能に連結し、この継手部材にツルの一方端を挿入・嵌合して連結する構造のメガネフレームのツル継手構造があった（例えば、特許文献１参照）。この場合、継手部材は、嵌合穴および溝穴を有し、ツルの一方端には、嵌合穴に嵌入される撓み変形可能な細い嵌入片が設けられている。嵌入片は、スリット溝により上下二股状に形成され、上側の嵌入片の先端部には、上方へ突出するツバが形成されている。
このツル継手構造では、ツルの一方端に設けられた嵌入片をそのバネ力を付勢して、継手部材の嵌合穴に挿入して嵌合するとともに、ツバを溝穴に係止することによって、ツルが継手部材に連結されるものとなる。反対に、継手部材に連結したツルを取り外す場合には、ツバを押圧して溝穴から解除した状態で、継手部材からツルが引き抜かれるものとなる。
【０００９】
さらに、本願考案の背景技術には、たとえばテンプル部材の差込プラグを蝶番部材のソケット孔に差し込むことによって、差込プラグの差鎌部がソケット孔の入嵌口に弾性嵌合して、テンプル部材および蝶番部材が互いに連結されると共に、蝶番部材の操作口から差込プラグの弾性タングを操作することにより連結状態にあるテンプル部材を引抜き分離可能に構成するという技術的手段を採用した眼鏡パーツの差込み連結機構があった（例えば、特許文献２参照）。
すなわち、テンプル部材は、一端に曲げ弾性変形可能なバネ板をピンカーブ状に折曲成形したクリップ状突起棒である差込プラグＰを有する。この差込プラグＰの突出部位には、三角形に膨出した弾性の差鎌部を備え、また、当該テンプル部材の根元側に伸びる折返端部には反曲状の弾性タングを有する。また、蝶番部材は、一端にソケット孔を有しており、このソケット孔は、差込プラグの差鎌部が弾力的に嵌込む入嵌口が奥部該当位置に開設され、かつ、弾性タングに対応する位置には当該タングを操作するための操作口が開設してある。そして、このソケット孔にテンプル部材の差込プラグを挿入し、差込プラグの差鎌部が入嵌口に弾性嵌合することによって、テンプル部材および蝶番部材が互いに連結される。この場合、蝶番部材の操作口から差込プラグの弾性タングを操作することにより、弾性の差鎌部が扁平に伸びて反曲状部分が入嵌口から外れ、テンプル部材は蝶番部材から引き抜き可能となる。
【００１０】
さらに、本願考案の背景技術には、ツルが、フロント部両側に設けられるヨロイと継手部を介して折畳み可能に連結するツル本体と、該ツル本体に取付けられる交換ツル部とで構成され、ツル本体には、嵌入溝を設けると共に該嵌入溝を塞ぐ板バネを取付け、板バネ先端には、ピンを起立してツル本体に設けた穴からボタンとして一部突出させ、一方の交換ツル部には端部から嵌入片を延ばし、該嵌入片を嵌入溝に嵌めて板バネのバネ力にて押圧され、そして板バネと嵌入片とが互いに係止する係止手段を設けている、メガネフレームのツル取付け構造が提案されている（例えば、特許文献３参照）。
この交換ツル部の取付け構造では、ツル本体に設けた嵌入溝に嵌入片を嵌め、ツル本体の板バネによって押圧されると共に、係止されることで外れることがない。この場合、板バネにより嵌入片が押圧された状態にあり、交換ツル部がガタ付くこともない。反対に、交換ツル部を取外すときには、板バネ先端に起立してツル本体表面から突出したボタンを押圧すると共に嵌入溝から引き抜くことで、交換ツル部を取り外すことが可能となっている。
【００１１】
また、本願考案の背景技術には、眼鏡枠におけるテンプル構成部品の結合部において、一方の部品（丁番）の端に、先端にくびれ形状を持つピンを形成し、結合しようとする他方の構成部品（テンプル部品）に、当該くびれ形状を持つピンが挿入され得る断面形状を持つパイプを形成し、当該ピンのくびれ形状部の部分にすり割りを施すことで弾性力を持たせた、すり割り弾性作用部を形成した眼鏡枠テンプルの着脱構造も提案されている（例えば、特許文献４参照）。
このテンプル着脱構造では、構成部品の一方（丁番）に形成した、先端にくびれ形状を持つピンを、他方の構成部品（テンプル部品）に形成したパイプに挿入すると、ピンのくびれ形状部がパイプを通過したところで、すり割り弾性作用部の弾性力によりパイプの終端がピンのくびれ形状部に噛み合い固定されることで、構成部品（丁番とテンプル）が結合される。そして、結合を解除する場合は、すり割り弾性作用部の弾性力以上の力を持って引き抜くことで、簡単に解除できるものとなっている。
【００１２】
【特許文献１】登録実用新案第３０１６３９４号公報（例えば、図２参照。）
【特許文献２】特開２００１−１１７０５２号公報（例えば、図３，図４参照。）
【特許文献３】特開２００７−２４９５５号公報（例えば、図３，図５参照。）
【特許文献４】登録実用新案第３０４６５４３号公報（例えば、図１参照。）
【考案の開示】
【考案が解決しようとする課題】
【００１３】
しかしながら、図３０〜図３３（Ａ），（Ｂ）に示す従来のメガネのテンプル脱着構造では、テンプルＴと智１Ａとの連結状態を解除して、智１Ａからテンプルを取り外す場合に、たとえば図３３（Ａ）に示すように、凹部７の開口部７ａから外方に突出・露出されている自由片６ｂを指先で押圧して、自由片６ｂを固定片６ａ側に閉じる方向に弾性変形させた状態を維持しながら、テンプルＴを引き抜く［図３３（Ｂ）および図３１参照。］ものとなっているため、テンプルＴと智１Ａとをワンタッチで簡単に脱着するものとはなっていない。また、この従来技術では、テンプルＴを智１Ａに取り付けた後で、テンプルＴが不用意に外れないように、弾性部材６のばね性を強くする傾向にあるため、テンプルＴと智１Ａとの連結状態を解除する際の指先で自由片６ｂを押圧する場合に、指先に掛ける力を強くしなければならず、面倒なものとなっていた。さらに、この従来技術では、テンプルＴの内側面に開口部７ａを有する凹部７が設けられ、当該開口部７ａから弾性部材６の自由片６ｂが露出されているため、デザイン性が悪いものとなっている。
【００１４】
また、上記特許文献１に示す背景技術では、ツルの一方端に設けられた嵌入片をそのバネ力を付勢して、継手部材の嵌合穴に挿入して嵌合するとともに、ツバを溝穴に係止することによって、ツルが継手部材に連結されるものとなっているために、継手部材に連結したツルを取り外す場合には、ツバを押圧して溝穴から解除した状態を維持させながら、ツルを継手部材から引き抜くものとなっている。つまり、この背景技術では、ヨロイに固定された継手部材とツルとをワンタッチで簡単に脱着するものとはなっておらず、また、ヨロイに固定される継手部材の溝穴が露出されるため、デザイン性も悪いものとなっていて、さらに、嵌入片のバネ力を強くした場合には、ツバを押圧する際の指先に掛ける力を強くしなければならず、上記した従来のメガネのテンプル脱着構造と同様の問題点を有するものであった。
【００１５】
さらに、上記特許文献２に示す背景技術では、ソケット孔にテンプル部材の差込プラグを挿入し、差込プラグの差鎌部が入嵌口に弾性嵌合されることによって、テンプル部材および蝶番部材が互いに連結されているため、蝶番部材の操作口から差込プラグの弾性タングを押圧操作することにより、弾性の差鎌部が扁平に伸びて反曲状部分が入嵌口から外れ、テンプル部材が蝶番部材から引き抜かれるものとなっている。この背景技術では、テンプル部材と蝶番部材とをワンタッチで簡単に脱着するものとはなっておらず、また、蝶番部材に入嵌口および操作口が開設されているため、デザイン性も悪いものとなっていて、さらに、差込プラグのばね性を強くした場合には、弾性タングを押圧操作する際の指先に掛ける力を強くしなければならず、上記した図３０〜図３３（Ａ），（Ｂ）に示す従来のメガネのテンプル脱着構造と同様の問題点を有するものであった。
【００１６】
さらに、上記特許文献３に示す背景技術では、交換ツル部を取外すときに、板バネ先端に起立してツル本体表面から突出したボタンを押圧すると共に嵌入溝から引き抜くことで、交換ツル部を取り外すことが可能となっているため、この背景技術では、ツル本体と交換ツル部をワンタッチで簡単に脱着するものとはなっておらず、板バネのばね性を強くした場合には、ボタンを押圧する際の指先に掛ける力を強くしなければならず、上記した図３０〜図３３（Ａ），（Ｂ）に示す従来のメガネのテンプル脱着構造と同様の問題点を有するものであった。
【００１７】
また、上記特許文献４に示す背景技術では、丁番からテンプル部品を取り外すときに、先端にくびれ形状を持つピンを、テンプル部品に設けたパイプから、すり割り弾性作用部の弾性力以上の力を持って引き抜くようにしているため、すり割り弾性作用部の弾性力を強くした場合には、当該ピンを引き抜く力が大きくなって取り外し作業が面倒なものとなる反面、すり割り弾性作用部の弾性力を必要以上に弱くした場合、あるいは、丁番とテンプル部品の脱着操作が頻繁に行われて当該すり割り弾性作用部の弾性力が低下した場合には、パイプの終端がピンのくびれ形状部に噛み合い固定される部位が摩耗劣化し、好適なくびれ形状を維持することが困難となって、当該ピンがパイプから不用意に外れる恐れが生じるものとなっていた。
【００１８】
それゆえに、本願考案の主たる目的は、テンプルと丁番部とをワンタッチで簡単に脱着自在に連結させることができる、メガネのテンプル脱着構造を提供することである。
【課題を解決するための手段】
【００１９】
請求項１にかかる本願考案は、メガネの智または丁番の部品とテンプルとを継手部材を介して脱着自在に連結するメガネのテンプル脱着構造であって、継手部材は、その一方側が部品およびテンプルの一方に接続される挿入部を含み、部品およびテンプルの他方は、挿入部が挿入可能な挿入口を備え、挿入部の進入を案内する案内路と、案内路に連通され、挿入部が回動自在に収容可能となる収容部とを含み、挿入部は、挿入部が案内路を通って収容部に収容されるように挿入され、部品とテンプルとをテンプルの軸方向に相対的に所定の角度で回動させたときに、挿入部が収容部内に係止状態となり、部品とテンプルとが離脱不能に連結されることを特徴とする、メガネのテンプル脱着構造である。
請求項１にかかる本願考案では、挿入部が挿入口を介して案内路に導入され、さらに収容部へと進入する。収容部に進入した挿入部は、部品とテンプルとの関係において、テンプルの軸線方向の回りに所定の角度で相対的に回動される。このとき、挿入部は、収容部内に係止状態となるため、収容部から抜け止めされる。そのため、部品とテンプルとは、離脱不能に連結される。逆に、部品とテンプルとの係止状態を解除して、部品とテンプルとを離脱させる場合には、先程とは反対方向に所定の角度で相対的に回動させることによって、挿入部の収容部内での係止状態を解除し、部品とテンプルとの連結が解除される。
なお、部品とテンプルとを相対的に回動させるという意味は、部品を固定してテンプルを回動させる場合、また、テンプルを固定して部品を回動させる場合、さらに、部品とテンプルとを相反する方向（逆向き）に回動させる場合を含むものである。
請求項２にかかる本願考案は、請求項１にかかる考案に従属する考案であって、収容部は、部品とテンプルとをテンプルの軸方向に相対的に所定の角度で回動させたときに、挿入部および収容部の相対的な回動位置を規制する隔壁部を含み、挿入部は、隔壁部に当接した位置で、挿入部が収容部内に係止状態となり収容部から抜き出し不能となることを特徴とする、メガネのテンプル脱着構造である。
請求項２にかかる本願考案では、収容部において、部品とテンプルとを相対的に回動させたときに、挿入部は、隔壁部に当接した位置で、挿入部が収容部内に係止状態となり収容部から抜け止めされ、部品とテンプルとが連結される。逆に、部品とテンプルとを反対方向に所定の角度で相対的に回動させることによって、挿入部は、隔壁部との当接位置から離間され、収容部内における係止状態が解除される。
請求項３にかかる本願考案は、請求項１または請求項２にかかる考案に従属する考案であって、収容部には、挿入部が収容部内に係止状態となると略同時に、挿入部の進入端側を進入方向とは反対方向に押圧する弾性部材が配設され、弾性部材の押圧力により、挿入部が収容部の内壁に押し付けられて、挿入部と収容部との係止状態が保持されることを特徴とする、メガネのテンプル脱着構造である。
請求項３にかかる本願考案では、挿入部が、収容部内に係止状態となると略同時に、弾性部材によって収容部の内壁に押し付けられる。この場合、挿入部は、収容部において、テンプルの軸線方向への移動が阻止されるため、安定した状態で収容部に係止される。
請求項４にかかる本願考案は、請求項１〜請求項３のいずれかにかかる考案に従属する考案であって、挿入部は、部品に接続され、挿入口を備えた案内路および収容部は、テンプルに配設されることを特徴とする、メガネのテンプル脱着構造である。
請求項５にかかる本願考案は、請求項１〜請求項３のいずれかにかかる考案に従属する考案であって、挿入部は、テンプルに接続され、挿入口を備えた案内路および収容部は、部品に配設されることを特徴とする、メガネのテンプル脱着構造である。
請求項６にかかる本願考案は、メガネの智または丁番の部品とテンプルとを継手部材を介して脱着自在に連結するメガネのテンプル脱着構造であって、継手部材は、その一方側が智または丁番の部品と接続される挿入部を含み、挿入部は、プレート状の挿入部本体と、挿入部本体の一端および／または他端に配設され、挿入部本体を回動自在とする回動軸とを含み、テンプルは、挿入部が挿入可能な挿入口を備え、挿入部の進入を案内する案内路と、突当り部を有すると共に、案内路に連通され、挿入部が回動自在に収容可能となる収容部と、収容部に連通され、テンプルの軸方向に見て、案内路と交差する方向に延びて配設される係止溝部とを含み、挿入部とテンプルとをテンプルの軸方向に相対的に所定の角度で回動させたときに、挿入部本体が係止溝部内に係止状態となり、挿入部がテンプルから抜き出し不能となることを特徴とする、メガネのテンプル脱着構造である。
請求項６にかかる本願考案では、継手部材の挿入部の一方側が、智または丁番の部品と接続される。また、継手部材の挿入部は、テンプルの挿入口を介して案内路に導入され、さらに収容部へと進入し、挿入部本体は、回動自在に収容される。この収容部において、挿入部本体は、回動軸で回動可能に支持され、テンプルの軸線方向の回りに所定の角度で相対的に回動される。このとき、挿入部本体が係止溝部内に係止状態となり、挿入部がテンプルから抜け止め可能となる。逆に、テンプルと継手部材との係止状態を解除して、継手部材とテンプルとを離脱させる場合には、先程とは反対方向に所定の角度で相対的に回動させることによって、挿入部本体の係止溝部内での係止状態を解除し、テンプルから継手部材が抜き出し可能となる。
請求項７にかかる本願考案は、請求項６にかかる考案に従属する考案であって、収容部は、挿入部とテンプルとをテンプルの軸方向に相対的に所定の角度で回動させたときに、挿入部およびテンプルの相対的な回動位置を規制する隔壁部を含み、挿入部本体が隔壁部に当接した位置で、挿入部本体が係止溝部内に係止状態となり、挿入部はテンプルから抜き出し不能となることを特徴とする、メガネのテンプル脱着構造である。
請求項７にかかる本願考案では、挿入部とテンプルとをテンプルの軸方向に相対的に所定の角度で回動させたときに、収容部に配設された隔壁部が、挿入部本体およびテンプルの相対的な回動位置を規制する。つまり、挿入部本体が隔壁部に当たって、収容部における挿入部本体の回動方向への移動が阻止される。そのため、挿入部本体が隔壁部に当接した位置で、挿入部本体が係止溝部内に係止状態となり、挿入部がテンプルから抜け止め可能となる。逆に、挿入部本体とテンプルとを反対方向に所定の角度で相対的に回動させることによって、挿入部本体は、隔壁部との当接位置から離間され、係止溝部内における係止状態が解除される。
請求項８にかかる本願考案は、請求項６または請求項７にかかる考案に従属する考案であって、テンプルは、収容部の突当り部に配設された弾性変形可能なばね性を有する弾性部材を含み、挿入部本体の一端側に配設された回動軸は、案内路に挿通可能に形成され、メガネの智または丁番の部品と接続される接続軸部を含み、挿入部本体の他端側に配設された回動軸は、収容部の突当り部に挿通可能に形成され、弾性部材を押圧する押圧軸部を含み、挿入部とテンプルとをテンプルの軸方向に相対的に所定の角度で回動させたときに、挿入部本体が係止溝部内に係止状態となると略同時に、前記弾性部材により押圧軸部の進入端側が進入方向とは反対方向に押圧され、挿入部本体が係止溝部の内壁に押し付けられることを特徴とする、メガネのテンプル脱着構造である。
請求項８にかかる本願考案では、弾性変形可能なばね性を有する弾性部材が収容部の突当り部に配設されている。挿入部本体を回動自在に支持する回動軸は、接続軸部および押圧軸部を含み、接続軸部は、案内路に挿通可能に形成され、メガネの智または丁番の部品と接続される。また、押圧軸部は、収容部の突当り部に挿通可能に形成され、弾性部材に押圧される。この場合、挿入部本体が収容部の係止溝部内に係止状態となると略同時に、押圧軸部は、弾性部材によって、挿入部の進入方向とは反対方向に押し付けられる。したがって、挿入部本体は、係止溝部の内壁に押し付けられる。この場合、挿入部本体は、収容部の係止溝部において、テンプルの軸線方向への移動が阻止され、挿入部本体と係止溝部との係止状態が安定した状態で保持される。
逆に、継手部材の挿入部とテンプルとを離脱させる場合には、挿入部をテンプルの軸線方向に沿って収容部の突当り部側に向かって押し付けて、係止溝部内から挿入部本体を離間させると同時に、挿入部本体とテンプルとを先程とは反対方向に所定の回動角度で相対的に回動させることによって、挿入部本体の係止溝部における係止状態を解除し、テンプルから継手部材の挿入部が抜き出し可能となる。
請求項９にかかる本願考案は、請求項６〜請求項８のいずれかにかかる考案に従属する考案であって、継手部材は、その一方側が智または丁番の部品と接続され、その他方側が挿入部を支持すると共に、智とテンプルとの合口となる支持部材をさらに含むことを特徴とする、メガネのテンプル脱着構造である。
請求項９にかかる本願考案では、継手部材が支持部材をさらに含み、支持部材の一方側が智または丁番の部品と接続され、支持部材の他方側は、挿入部を支持するものとなっている。この場合、支持部材は、智または丁番の部品とテンプルとを隣接構造に連結すると共に、両者間の連結強度を補強するものとなっている。さらに、支持部材は、智およびテンプルの合口を構成するものとなっている。
【考案の効果】
【００２０】
本願考案によれば、テンプルと丁番部とをワンタッチで簡単に脱着自在に連結させることができる、メガネのテンプル脱着構造が得られる。
【００２１】
この考案の上述の目的，その他の目的，特徴および利点は、図面を参照して行う以下の考案を実施するための最良の形態の詳細な説明から一層明らかとなろう。
【考案を実施するための最良の形態】
【００２２】
図１は、本願考案にかかるメガネのテンプル脱着構造が適用されたメガネの実施形態の一例を示す全体斜視図であり、図２は、図１に示すメガネのテンプル脱着構造の要部分解斜視図である。
このメガネ１０は、フロント１２の両側に配置される智１４を含む。智１４は、メガネレンズ１６を保持するリム１８に、ろう付けされた例えばよろい智により形成されている。智１４には、継手部材２０を介して、テンプルＴが開閉自在に取り付けられると共に、テンプルＴは、継手部材２０に脱着自在に取り付けられている。
この実施形態例では、継手部材２０が、丁番部（ヒンジ部）Ｈによって、智１４に対して開閉自在に取り付けられている。丁番部（ヒンジ部）Ｈは、上下に間隔を隔てて配設される２つの枠丁番こま片２２ａ，２２ｂを含む。また、継手部材２０は、たとえば方形の支持部材２４を含み、支持部材２４の一方主面には、うで丁番こま片２６が配設される。この場合、２つの枠丁番こま片２２ａ，２２ｂ間に、うで丁番こま片２６が挿嵌された後、２つの枠丁番こま片２２ａ，２２ｂのこま孔（図示せず）およびうで丁番こま片２６のこま孔（図示せず）に丁番ねじ２８が装着されて、智１４と継手部材２０とは回動自在（開閉自在）に連結されるものとなる。つまり、本実施形態例では、２つの枠丁番こま片２２ａ，２２ｂ、うで丁番こま片２６および丁番ねじ２８によって、丁番部（ヒンジ部）Ｈが構成されている。
一方、支持部材２４の他方主面には、後述する挿入部３０が配設されている。
【００２３】
次に、本実施形態例におけるテンプル脱着構造について説明する。本実施形態例では、メガネ１０の丁番部（ヒンジ部）Ｈの部品（うで丁番こま片２６）とテンプルＴとが、継手部材２０を介して脱着自在に連結されている。
すなわち、継手部材２０は、特に、図２に示すように、挿入部３０を含み、挿入部３０は、たとえば横長矩形でプレート状の挿入部本体３２を含む。挿入部本体３２の長手方向の一端側および他端側には、それぞれ、挿入部本体３２を回動自在に支持するたとえば断面円形の回動軸３４および３６が配設されている。回動軸３４，３６は同一直線上に配置され、挿入部本体３２の幅方向の中心で且つその長手方向に延びる中心軸線上に配置されている。この場合、一方の回動軸３４は、メガネ１０の丁番部（ヒンジ部）Ｈの部品であるうで丁番こま片２６に接続される接続軸部として形成される（以下、「回動軸３４」を「接続軸部３４」という）。また、他方の回動軸３６は、後述する弾性部材４８を押圧する押圧軸部として形成される（以下、「回動軸３６」を「押圧軸部３６」という）。
【００２４】
一方、テンプルＴは、たとえば図７，図１２、図３〜図６および図８〜図１１等に示すように、挿入部３０の押圧軸部３６が初期的に挿入可能な挿入口３８を備え、挿入部３０の進入を案内する案内路４０と、案内路４０に連通され、挿入部３０の挿入部本体３２が回動自在に収容可能となる収容部４２とを含む。挿入口３８は、挿入部本体３２の縦断面形状と略同じ形状で且つそれよりも僅かに大きい大きさを有するものである。
また、収容部４２は、当該収容部４２に連通される円筒状の弾性部材収納部４４を有し、この弾性部材収納部４４の最奥壁部に突当り部４６が配設される。突当り部４６には、弾性変形可能なばね性を有する弾性部材４８が配設されている。本実施形態例では、弾性部材４８として、たとえばコイルばねが用いられている。弾性部材４８としては、たとえば板ばねが用いられてもよい。
【００２５】
また、収容部４２は、たとえば図７，図３〜図６および図１２，図８〜図１１等に示すように、案内路４０の近傍に、当該収容部４２と連通される係止溝部５０を有する。係止溝部５０は、テンプルＴの軸線方向に見て、案内路４０とたとえば９０度に交差する方向に配設されている。また、案内路４０と係止溝部５０とは、その長手方向の長さ，その幅方向の長さが略同じに形成されている。さらに、テンプルＴの軸線方向に見た、案内路４０、収容部４２、係止溝部５０および弾性部材収納部４４の軸線中心は同一直線上に位置するものとなっている。
【００２６】
さらに、収容部４２は、たとえば図１５に示すように、挿入部本体３２とテンプルＴとを当該テンプルＴの軸方向に相対的にたとえば９０度の回動角度で回動させたときに、挿入部本体３２およびテンプルＴの相対的な回動位置を規制する隔壁部５２を有する。隔壁部５２は、図６，図１１等に示すように、当該収容部４２をテンプルＴの軸線方向に見て、断面Ｌ字形の端面形状を有し、収容部４２は、扇状のキャビティ形状を有するものとなっている。さらに、収容部４２と隔壁部５２とは、テンプルＴの軸線方向に見て、当該軸線方向回りに、たとえば略９０度おきに配設されている。
そのため、挿入部本体３２とテンプルＴとを当該テンプルＴの軸方向に相対的にたとえば９０度の回動角度で回動させたときに、挿入部本体３２は、隔壁部５２に当接した位置で、収容部４２内における挿入部本体３２のテンプルＴの軸線方向回りの移動が阻止される。
【００２７】
本実施形態例にかかるメガネ１０のテンプル脱着構造では、たとえば図１３に示すように、先ず、挿入部３０の押圧軸部３６がテンプルＴの挿入口３８を介して案内路４０に導入され、さらに、収容部４２へと進入し、挿入部本体３２は収容部４２内に回動自在に収容される。そして、挿入部３０の押圧軸部３６は、テンプルＴの軸線方向に沿って収容部４２の突当り部４６側に向かって押し付けられる。この場合、挿入部３０の押圧軸部３６の進入端は、図１４に示すように、弾性部材４８をその圧縮方向に押圧するため、弾性部材４８が弾性変形して圧縮される。
【００２８】
弾性部材４８を押圧した状態で、押圧挿入部３０は、たとえば図１４，図１５に示すように、テンプルＴの軸線方向の回りにたとえば９０度の角度で相対的に回動される。このとき、挿入部本体３２は、図１５に示すように、隔壁部５２に当たって、収容部４２における挿入部本体３２の回動方向への移動が阻止される。このとき、挿入部本体３２は、係止溝部５０と対向する位置に配置されるものとなる。
【００２９】
次に、弾性部材４８の押圧状態を解除すると、たとえば図１５，図１６に示すように、弾性部材４８の付勢力（弾性復元力）によって、挿入部３０の押圧軸部３８の進入端が進入方向とは反対方向に押圧される。そのため、挿入部３０は、係止溝部５０に向かって押し戻され、係止溝部５０の内壁に押し付けられて停止される。すなわち、挿入部本体３２は、隔壁部５２に当接した位置で、挿入部本体３２が係止溝部５０内で係止状態となり、挿入部３０は、テンプルＴから抜け止めされることとなる。この場合、挿入部本体３２は、収容部４２の係止溝部５０において、テンプルＴの軸線方向への移動が阻止され、挿入部本体３２と係止溝部５０との係止状態が安定した状態で保持される。
【００３０】
逆に、テンプルＴと継手部材２０との係止状態を解除して、継手部材２０とテンプルＴとを離脱させる場合には、挿入部３０をテンプルＴの軸線方向に沿って収容部４２の突当り部４６側に向かって押し付けて、係止溝部５０内から挿入部本体３２を離間させると同時に、挿入部本体３２とテンプルＴとを先程とは反対方向に９０度の回動角度で相対的に回動させることによって、挿入部３０の係止溝部５０での係止状態を解除し、テンプルＴから継手部材２０が抜き出し可能とすることができる。
【００３１】
本実施形態例にかかるメガネ１０のテンプル脱着構造において、挿入部３０とテンプルＴとを相対的にたとえば９０度の回動角度で回動させるという意味は、テンプルＴを固定して挿入部３０を９０度回動させる場合、また、挿入部３０を固定してテンプルＴを９０度回動させる場合、さらに、挿入部３０とテンプルＴとを相反する方向（逆向き）に９０度回動させる場合を含むものである。
【００３２】
なお、本実施形態例にかかるメガネ１０のテンプル脱着構造では、継手部材２０が支持部材２４を有し、支持部材２４の一方主面側が智１４または丁番部（ヒンジ部）Ｈのうで丁番こま片２６に接続され、支持部材２４の他方主面側には、挿入部３０の接続軸部３４が接続されるものとなっているため、支持部材２４は、丁番部（ヒンジ部）Ｈとテンプルとを隣接構造に連結すると共に、両者間の連結強度を補強するものとなっており、さらに、支持部材２４は、智１４およびテンプルＴの合口を構成するものとなっている。
【００３３】
上述したように、本実施形態例では、テンプルＴと丁番部（ヒンジ部）Ｈとをワンタッチで簡単に脱着自在に連結させることができるメガネのテンプル脱着構造を提供することができるため、色やデザイン等の違う多種のテンプルＴを揃えることによって、使用者の好みに応じて、所望する種々のテンプルＴを継手部材２０を介して、丁番部（ヒンジ部）Ｈの部品（うで丁番こま片２６）に簡単に付け替えることができる。また、本実施形態例では、従来例（背景技術）にかかるメガネと比べて、テンプルＴないし智１４等の露出面に溝穴，操作口，凹部等を設けなくてもよいので、デザイン性も良好なものとなっている。
【００３４】
なお、上述した実施形態例では、継手部材２０が丁番部（ヒンジ部）Ｈにより智１４に開閉自在となる構造に形成されたが、たとえば図１７に示すように、丁番部（ヒンジ部）Ｈを設けないで、継手部材２０の支持部材２４を智１４の端面に固着ないし一体化させるようにしてもよい。
【００３５】
また、上述した実施形態例において、丁番部（ヒンジ部）Ｈの丁番ねじ２８に替えて、２つの枠丁番こま片２２ａ，２２ｂのこま孔（図示せず）およびうで丁番こま片２６のこま孔（図示せず）にピン（図示せず）を装着し、かしめることによって、智１４と継手部材２０とを回動自在（開閉自在）に連結するようにしてもよい。この場合、丁番部（ヒンジ部）Ｈに丁番ねじ２８を使用する必要が無いので、丁番部（ヒンジ部）Ｈの緩みを防止することができる。
【００３６】
図１８は、本願考案にかかるメガネのテンプル脱着構造が適用されたメガネの実施形態のさらに他の例を示す要部分解斜視図である。図１９は、図１８のＸ方向から見た矢視図であり、図２０は、図１８の線Ｉ−Ｉにおける断面図であり、図２１は、図１９の線Ｊ−Ｊにおける断面図であり、図２２は、図１９の線Ｋ−Ｋにおける断面図であり、図２３は、図１９の線Ｌ−Ｌにおける断面図であり、図２４は、図１８に示すテンプルの一部切欠き斜視図である。また、図２５は、図１８，図２４に示すテンプルをメガネのフロント方向に見て反時計方向に９０度回転させた状態の一部切欠き斜視図である。
さらに、図２６は、図１８，図２４に示すテンプルの収容部に継手部材の挿入部を挿入し、挿入部の先端部を収容部内に配設された弾性部材に当接させた状態を示す一部切欠き斜視図である。図２７は、図２６に示す状態から挿入部の先端部を弾性部材に押し付けて弾性部材を圧縮変形させた状態を示す一部切欠き斜視図である。図２８は、図２７に示す状態でテンプルをメガネのフロント方向に見て反時計方向に９０度回転させた状態を示す一部切欠き斜視図である。図２９は、図２８に示す状態から挿入部をテンプルの収容部内に係止させた状態を示す一部切欠き斜視図である。
【００３７】
本実施形態例では、上述した実施形態例にかかるメガネ１０のテンプル脱着構造と比べて、特に、継手部材２０とテンプルＴとを連結した場合に、図１〜図１６に示す上述の実施形態例では、案内路４０，収容部４２および弾性部材収納部４４の配置が、テンプルＴの軸線方向に見て、テンプルＴの略中心の軸線上に配置されているのに対して、図１８〜図２９に示す本実施形態例では、案内路４０，収容部４２および弾性部材収納部４４の配置が、テンプルＴの軸線方向に見て、テンプルＴの内面端側に偏移させた位置に配置されている点で相違するものである。
すなわち、図１８〜図２９に示す本実施形態例では、特に、図２１〜図２３および図２８，図２９に示すように、テンプルＴが、１つの扇状のキャビティを備えた収容部４２を有するものであって、継手部材２０とテンプルＴとを連結した場合に、当該収容部４２および案内路４０の一部がテンプルＴの内面端に切り欠いた部分に露出する態様（特に、たとえば図２５，図２８，図２９参照。）に形成されている。
また、図１８〜図２９に示す本実施形態例では、図１〜図１６に示す実施形態例と比べて、挿入部３０が、押圧軸部３６を有するものではなく、挿入部本体３２および接続軸部３４で構成されている。
なお、図１８〜図２９に示す本実施形態例にかかるメガネ１０のテンプル脱着構造においても、上述の図１８〜図２９に示す実施形態例と同様の作用・効果を有するものである。
さらに、本実施形態例では、継手部材２０を介して脱着自在にメガネ１０の智１４または丁番部（ヒンジ部）Ｈの部品に取り付けられるテンプルＴのデザインバリエーションの多様化に対応することが可能となる。つまり、本実施形態例では、上述したように、収容部４２および案内路４０の一部がテンプルＴの内面端に切り欠いた部分に露出する態様となっているため、たとえば取り付けられるテンプルＴの縦長（垂直方向の断面径）および横長（水平方向の断面径）が異形となる場合、特に、テンプルＴの断面径が横長となる場合には、横長となる部位を当該切り欠いた部分に露出させて、テンプルＴの外側面に凸部等の異形部分とならないように略平坦面にして、テンプルＴ全体にスリム感を与え、デザイン性を良好なものとすることができる。
【００３８】
また、図１〜図１６に示す実施形態例では、収容部４２と隔壁部５２とが、テンプルＴの軸線方向に見て、当該軸線方向回りに、たとえば略９０度おきに配設される態様であったが、それに限定されるものではなく、収容部４２と隔壁部５２とは、たとえば３０度，４５度，６０度おきに配設される態様であってもよく、収容部４２および隔壁部５２の数や配列角度は、適宜、変更可能である。
【００３９】
さらに、テンプルＴの軸線方向で見たときの案内路４０と係止溝部５０との交差角度は、９０度が最も好ましいものではあるが、それに限定されるものではなく、たとえば５度〜９０度の範囲内で適宜変更するようにしてもよく、テンプルＴの軸線方向で見て両者が交差するように配置されていればよい。
【００４０】
上述した図１〜図１６に示す実施形態例において、継手部材２０の挿入部３０は、挿入部本体３２だけで形成することも可能であり、また、挿入部本体３２と接続軸部３４とで形成することも可能である。さらに、テンプルＴの収容部４２において、係止溝部５０および／または弾性部材収納部４４を適宜設けないようにすることも可能であり、その場合には、収容部４２のテンプルＴの軸線方向の長さを延設し、弾性部材４８をその延設した収容部４２の最奥部の内壁面に配設すればよい。
【００４１】
上述した各実施形態例では、挿入部３０および支持部材２４を含む継手部材２０が、メガネ１０の智１４または丁番部（ヒンジ部）Ｈの部品側に配設され、挿入口３８、案内路４０、収容部４２および弾性部材収納部４４が、テンプルＴ側に配設される態様であるが、それとは逆に、テンプルＴ側に、挿入部３０および支持部材２４を含む継手部材２０が配設され、智１４または丁番部（ヒンジ部）Ｈの部品側に、挿入口３８、案内路４０、収容部４２および弾性部材収納部４４が配設される態様であってもよい。
なお、智１４，継手部材２０およびテンプルＴは、金属で形成されることが好ましいが、プラスチック等で形成されてもよい。
【図面の簡単な説明】
【００４２】
【図１】本願考案にかかるメガネのテンプル脱着構造が適用されたメガネの実施形態の一例を示す全体斜視図である。
【図２】図１に示すメガネのテンプル脱着構造の要部分解斜視図である。
【図３】図２の線Ａ−Ａにおける断面図である。
【図４】図３の線Ｂ−Ｂにおける断面図である。
【図５】図３の線Ｃ−Ｃにおける断面図である。
【図６】図３の線Ｄ−Ｄにおける断面図である。
【図７】図２に示すテンプルの一部切欠き斜視図である。
【図８】図７の線Ｅ−Ｅにおける断面図である。
【図９】図８の線Ｆ−Ｆにおける断面図である。
【図１０】図８の線Ｇ−Ｇにおける断面図である。
【図１１】図８の線Ｈ−Ｈにおける断面図である。
【図１２】図２，図７に示すテンプルをメガネのフロント方向に見て反時計方向に９０度回転させた状態の一部切欠き斜視図である。
【図１３】図２，図７に示す収容部に継手部材の挿入部を挿入し、挿入部の先端部を収容部内に配設された弾性部材に当接させた状態を示す一部切欠き斜視図である。
【図１４】図１３に示す状態から挿入部の先端部を弾性部材に押し付けて弾性部材を圧縮変形させた状態を示す一部切欠き斜視図である。
【図１５】図１４に示す状態でテンプルをメガネのフロント方向に見て反時計方向に９０度回転させた状態を示す一部切欠き斜視図である。
【図１６】図１５に示す状態から挿入部をテンプルの収容部内に係止させた状態を示す一部切欠き斜視図である。
【図１７】本願考案にかかるメガネのテンプル脱着構造が適用されたメガネの実施形態の他の例を示す要部分解斜視図である。
【図１８】本願考案にかかるメガネのテンプル脱着構造が適用されたメガネの実施形態のさらに他の例を示す要部分解斜視図である。
【図１９】図１８のＸ方向から見た矢視図である。
【図２０】図１８の線Ｉ−Ｉにおける断面図である。
【図２１】図１９の線Ｊ−Ｊにおける断面図である。
【図２２】図１９の線Ｋ−Ｋにおける断面図である。
【図２３】図１９の線Ｌ−Ｌにおける断面図である。
【図２４】図１８に示すテンプルの一部切欠き斜視図である。
【図２５】図１８，図２４に示すテンプルをメガネのフロント方向に見て反時計方向に９０度回転させた状態の一部切欠き斜視図である。
【図２６】図１８，図２４に示す収容部に継手部材の挿入部を挿入し、挿入部の先端部を収容部内に配設された弾性部材に当接させた状態を示す一部切欠き斜視図である。
【図２７】図２６に示す状態から挿入部の先端部を弾性部材に押し付けて弾性部材を圧縮変形させた状態を示す一部切欠き斜視図である。
【図２８】図２７に示す状態でテンプルをメガネのフロント方向に見て反時計方向に９０度回転させた状態を示す一部切欠き斜視図である。
【図２９】図２８に示す状態から挿入部をテンプルの収容部内に係止させた状態を示す一部切欠き斜視図である。
【図３０】本願考案の背景となる従来のテンプル脱着構造が採用されたメガネの一例を示す全体斜視図である。
【図３１】図３０のメガネに採用された従来のテンプル脱着構造を示す要部分解平面図である。
【図３２】図３０，図３１に示す智および継手部材の要部拡大斜視図である。
【図３３】図３０，図３２に示す状態からテンプルを取り外す方法を示す説明図であって、（Ａ）は、継手部材とテンプルとが連結された状態から、その連結状態を解除させるための初期的動作（押圧動作）を示す一部切欠き平面図であり、（Ｂ）は、弾性部材の自由片を固定片側に押圧して弾性変形させた状態を示す一部切欠き平面図である。
【符号の説明】
【００４３】
１０  メガネ
１２  フロント
１４  智
１６  メガネレンズ
１８  リム
２０  継手部材
２２ａ，２２ｂ  枠丁番こま片
２４  支持部材
２６  うで丁番こま片
２８  丁番ねじ
３０  挿入部
３２  挿入部本体
３４  接続軸部
３６  押圧軸部
３８  挿入口
４０  案内路
４２  収容部
４４  弾性部材収納部
４６  突当り部
４８  弾性部材
５０  係止溝部
５２  隔壁部
Ｈ  丁番部（ヒンジ部）
Ｔ  テンプル
【図１】
0003139022.tif 000003
【図２】
0003139022.tif 000004
【図３】
0003139022.tif 000005
【図４】
0003139022.tif 000006
【図５】
0003139022.tif 000007
【図６】
0003139022.tif 000008
【図７】
0003139022.tif 000009
【図８】
0003139022.tif 000010
【図９】
0003139022.tif 000011
【図１０】
0003139022.tif 000012
【図１１】
0003139022.tif 000013
【図１２】
0003139022.tif 000014
【図１３】
0003139022.tif 000015
【図１４】
0003139022.tif 000016
【図１５】
0003139022.tif 000017
【図１６】
0003139022.tif 000018
【図１７】
0003139022.tif 000019
【図１８】
0003139022.tif 000020
【図１９】
0003139022.tif 000021
【図２０】
0003139022.tif 000022
【図２１】
0003139022.tif 000023
【図２２】
0003139022.tif 000024
【図２３】
0003139022.tif 000025
【図２４】
0003139022.tif 000026
【図２５】
0003139022.tif 000027
【図２６】
0003139022.tif 000028
【図２７】
0003139022.tif 000029
【図２８】
0003139022.tif 000030
【図２９】
0003139022.tif 000031
【図３０】
0003139022.tif 000032
【図３１】
0003139022.tif 000033
【図３２】
0003139022.tif 000034
【図３３】
0003139022.tif 000035